Podtech/llm-jp-corpus-v4-ja_patent huggingface dataset:
(57)【要約】【課題】  ノートや手帳、本、雑誌等複数枚の紙が一方の端を綴じられた状態になっているものに自由に索引を付けたい。【解決手段】  ノートや手帳、本、雑誌等複数枚の紙が一方の端を綴じられた状態になっているものにおいて、用紙のとじ込み部分以外の三辺の内の一辺、二辺または三辺の端に自由に切り取れる切り取り線を付けた索引のための領域または切って内側に折りこみ可能な切り取り線を付けた索引のための領域を設ける。【選択図】図３
2020062748.tif 000002
【特許請求の範囲】
【請求項１】
ノートや手帳、本、雑誌等複数枚の紙が一方の端を綴じられた状態になっているものにおいて、用紙のとじ込み部分以外の三辺の内の一辺、二辺または三辺の端に自由に切り取れる切り取り線を付けた索引のための領域または切って内側に折りこみ可能な切り取り線を付けた索引のための領域を設けたことを特徴とする用紙。
【発明の詳細な説明】
【技術分野】
【０００１】
本願発明は、ノートや手帳、本、雑誌等複数枚の紙が一方の端を綴じられた状態になっているものにつき、それに自由に索引を付けられるようにした用紙に関する。
【背景技術】
【０００２】
従来、ノートや手帳、本、雑誌等複数枚の紙が一方の端を綴じられた状態になっているものに索引をつけたいときは、とじ込み部分以外の端に索引シールを貼る、栞を挟む、バインダー方式のノートや手帳の場合は索引用の紙を挿入する等の方法がある。
また、特許物件１のように、リング穴が形成された辺を除く端辺に複数の索引を形成して、ユーザが任意にマーカーで塗りつぶして容易に索引を形成しているものもある。
【先行技術文献】
【特許文献】
【０００３】
【特許文献１】実登3214825号公報
【発明の概要】
【発明が解決しようとする課題】
【０００４】
従来の索引シールおよび索引用の紙は、ノートや手帳、本、雑誌等複数枚の紙が一方の端を綴じられた状態になっているもののとじ込み部分以外の辺に用紙から飛び出す部分を作ることにより、そこから索引の示す該当ページを開けられるようにするものであった。
しかし、当然ながら索引を作るためにこれらの索引シールまたは索引用の紙を別途用意しなければならない。また、索引部分が用紙端から飛び出しているため、その索引部分が折れ曲がってしまったり、剥がれたり破れたりしやすい。
【０００５】
栞を使用した場合は、索引名を記入することができないし、当然栞も別途用意しなければならない。栞は用紙と用紙の間に挟まれているだけであるので、無くしてしまう危険性もある。
【０００６】
特許文献１のようにマーカーで塗りつぶす方法もあるが、用紙から索引が飛び出していないため、指で捲って該当のページを開く際にページを素早く開くことができないという問題がある。また、該当ページを開かなければそのマーカーの部分が何の情報を指すのか分からない。つまり、それを閉じている状態では、索引名が見えないので使いにくい。
【課題を解決するための手段】
【０００７】
ノートや手帳、本、雑誌等複数枚の紙が一方の端を綴じられた状態になっているものにおいて、用紙のとじ込み部分以外の三辺の内の一辺、二辺または三辺の端に自由に切り取れる切り取り線を付けた索引のための領域または切って内側に折りこみ可能な切り取り線を付けた索引のための領域を設けた用紙を作る。これを切り取ったり、折り曲げることにより、索引を作ることができる。索引シールや索引用の紙、栞を用意しなくとも手軽に索引を作ることができる。用紙の端から出っ張っていないので、索引部分が折れ曲がってしまったり、剥がれたり破れたりし難い。また、栞のように無くしてしまう危険もなく、そして、本を開いていない状態でも索引の名前を見ることができ、捲る時に索引が指に引っかかるため、該当ページを素早く開くことができる。
【図面の簡単な説明】
【０００８】
【図１】本願発明の切り取り可能な索引を設けたルーズリーフ用紙の例
【図２】本願発明の切って内側に折り込むことが可能な索引を設けたルーズリーフ用紙の例
【図３】本願発明の用紙を使い、索引を作ったバインダーの斜視図
【発明を実施するための形態】
【０００９】
ノートや手帳、本、雑誌等複数枚の紙が一方の端を綴じられた状態になっているものにおいて、用紙のとじ込み部分以外の三辺の内の一辺、二辺または三辺の端に自由に切り取れる切り取り線を付けた索引のための領域を設けた用紙または切って内側に折りこみ可能な切り取り線を付けた索引のための領域を設けた用紙を使用することによって、使う者が自由に索引を付けることができる。
【実施例１】
【００１０】
図１は索引を切り取る形で使用する本願発明の用紙の例である。図２は索引を内側に折り込んで使用する本願発明の用紙の例である。ここでは両方ともバインダーに綴じるルーズリーフ用紙を想定している。用紙には索引名を記入する領域（４）がいくつか並んでいる。そして、切り取り線（３）がそれぞれ付いている。索引作成の手順は、まず索引をつけたいページを開け、その索引名を記入する領域（４）に索引名を記入する。次にその前の連続した何枚かの頁を選択し、図１の場合はさきほど索引名を書いた領域と同じ領域を切り取り線（３）にて切り取り、図２の場合は、同じ領域の切り取り線（３）を切り、折り込み線（５）より折り曲げる。これで完成である。すると、本を閉じたとき、図３の斜視図のように外から索引名が確認でき、ページをめくる時も指に引っかかりがあるため、その索引ページを素早く開くことができる。
【実施例２】
【００１１】
ビジネス手帳には月ごとの索引があらかじめ設けられているものもある。それがバインダー式でない場合は、月ごとの索引が固定されており動かせず、全ての月が同じページ数となる。使う者が月ごとの繁忙に合わせてページ数を変更することができない。しかしながら、本願発明の用紙を使用すれば月ごとのページの増減が容易くできるため、より自由度の高い使い方がでる。
【実施例３】
【００１２】
この索引は手帳やノートのみならず、本や雑誌のような印刷物にも使用することが可能である。参考書や学習書にこの索引を使用すれば、自分が間違いやすい箇所や重要と考える場所に索引を付けることができる。雑誌や小説等の例では、自分が読み返したい個所に索引を付けることができる。毎週発売される漫画雑誌の例では、自分が読みたい漫画が掲載されている箇所に索引を付ける等の使い方が提案できる。
【符号の説明】
【００１３】
１…本願発明の索引を使用したルーズリーフ用紙の例
２…とじ孔
３…切り取り線
４…索引名を記入する領域
５…折り込み線
６…本願発明の用紙を用いて索引を付けたバインダーを閉じた斜視図
【図１】
2020062748.tif 000003
【図２】
2020062748.tif 000004
【図３】
2020062748.tif 000005
(57)【要約】      （修正有）【課題】Ｃ型クランプの面倒とされる締め付ける・緩めるの操作を迅速に行うことを可能とする。【解決手段】Ｃ型クランプのボルト１頭部に十字又は六角のねじ穴２を設ける。【選択図】図２
2020062703.tif 000002
【特許請求の範囲】
【請求項１】
ボルト頭部に十字又は六角のねじ穴を設けたＣ型クランプ。
【発明の詳細な説明】
【技術分野】
【０００１】
本発明は、操作が面倒で作業効率が悪いといわれるシャコ万とも称されるＣ型クランプに関する。
【背景技術】
【０００２】
従来、Ｃ型クランプは、ボルトに設けられたハンドルでボルトをひたすら回さないと締め付ける・緩めるの操作ができないのが地味に時間かかってつらく面倒で作業効率が悪いとされ、Ｃ型クランプに関する様々な説明資料にもそのような記述が散見される。
【０００３】
この改善策として、ボルトの頭を電動ドライバーのソケットが挿嵌できる六角形頭に形成し、さらに作業中にシャコ万力の脱落防止として、六角形頭の略中央に電動ドライバーソケットから抜け落ち防止にソケットロック用凹部を設けるとする方法がある。しかしながら、この方法では、電動ドライバーソケットへの抜き差しに両手を使っての２段階の操作が必要となる。
【先行技術文献】
【特許文献】
【０００４】
【特許文献１】特開２００９−１２５９２４
【非特許文献】
【０００５】
【非特許文献１】なし
【発明の概要】
【発明が解決しようとする課題】
【０００６】
本発明は、この面倒とされるこれらの操作を迅速に行えることを可能とする点にある。
【課題を解決するための手段】
【０００７】
Ｃ型クランプのボルト頭部に十字又は六角のねじ穴を設ける。
【発明の効果】
【０００８】
この発明は、電動ドライバーにセットされたビットの先端を単に接触させるだけで、Ｃ型クランプの締め付け、緩めの操作を素早く行うことが可能となる。
【０００９】
ことに、多数のＣ型クランプを使用する人たちは、電動ドライバー等を所持している場合が多いため、このような人たちにとっては、より効果は鮮明となる。
【００１０】
さらに、一部で採用されている、ボルト頭部そのものを六角にし、レンチ類で最後の強力な締めを可能としたものと組み合わせることにより、ハンドルが不要となり、服や手袋などを引っ掛けたりする危険性が減少する効果も期待される。
【図面の簡単な説明】
【００１１】
【図１】本発明Ｃ型クランプの全体図である。
【図２】本発明のＣ型クランプのボルト頭部に設けた十字のねじ穴の拡大図である。
【発明を実施するための形態】
【００１２】
電動ドライバー類を用いて、このねじ穴を用いて締め付ける・緩めるの操作を行う。
【００１３】
最後の強力な締め付けのみハンドルを用いて行う。
【実施例】
【００１４】
電動ドライバー類を用いて、このねじ穴を用いて締め付ける・緩めるの操作を行う。
【産業上の利用可能性】
【００１５】
木工作業等において、Ｃ型クランプを複数使用する人たちは、電動ドライバー等を所持している場合が多いため、このような人たちにとっては、より効果は鮮明となる。
【符号の説明】
【００１６】
１  ボルト部
２  ねじ穴
３  ハンドル
【図１】
2020062703.tif 000003
【図２】
2020062703.tif 000004
(57)【要約】      （修正有）【課題】磁気シールドを用いた開磁路タイプの磁石の吸引力による歯科インプラント義歯を提供する。【解決手段】レジン義歯床粘膜面部１に組み込む磁石構造体２は、Ｎｄ（ネオジム）・Ｆｅ（鉄）・Ｂ（ボロン）を主成分とする生体に適応可能な材質記号を有するネオジム磁石であり、表面処理に耐食性に優れたステンレス鋼３で磁石を覆うものとする。磁石構造体周囲の磁束の漏洩を遮断するために、磁石構造体周囲の磁場を高透磁率材料（軟磁性材料）と高電導度材料で構成される磁気シールド４にて遮蔽を行う。シールドと磁石構造体・ステンレス鋼との間は磁性構造体固定レジン５にて固定を行う。磁石構造体と口腔粘膜６との間は密着しないように間隙７を設ける。磁性ステンレス鋼で製作されたキーパー部８を歯槽骨内９に埋入した歯科インプラント体１０に取付け、インプラント一次手術時に口腔粘膜で被覆し、キーパー部は、常時、口腔粘膜下に存在させる。【選択図】図１
2020062361.tif 000002
【特許請求の範囲】
【請求項１】
レジン義歯床粘膜面部（１）に組み込む、生体に適応可能な材質記号を有するネオジム磁石（２）を用いて、ステンレス鋼（３）でネオジム磁石を覆い、磁石構造体周囲の磁束の漏洩を遮断するために、磁石構造体周囲の磁場を磁気シールド（４）にて遮蔽を行い、口腔粘膜が介在した状態で、開磁路タイプの磁石の吸引力で歯科インプラント義歯を可能にした点
【発明の詳細な説明】
【技術分野】
【０００１】  この発明は、磁石構造体とキーパー部との間に口腔粘膜が介在した状態で、磁気シールドを用いた開磁路タイプの磁石の吸引力による歯科インプラント義歯に関するものである。
【背景技術】
【０００２】  従来、磁石構造体とキーパー部との間に口腔粘膜が介在した状態で、インプラント義歯を維持する仕組みは存在しなかった。
【先行技術文献】
【特許文献】
【０００３】
【特許文献１】
【発明の概要】
【発明が解決しようとする課題】
【０００４】  歯科臨床で使用されている磁性アタッチメントは、磁石構造体とそれに対応する金属製のキーパー部から構成され、磁石構造体を補綴装置側に、キーパー部を支台歯側に設置して使用する。磁性アタッチメントは、支台歯に側方力が加わりにくく、着脱方向の制限がなく、口腔内への設置が簡単といった利点がある。磁性アタッチメントを維持、安定に利用するインプラント義歯は、骨内に埋入した歯科インプラント体にアバットメント部を連結し、アバットメント部にキーパー部、義歯床粘膜面に磁石構造体を組込むことで閉磁路構造を確立し、義歯の維持、安定を図ることが行われている。しかしながら、インプラント義歯で使用される磁性アタッチメントでは、次のようなことが生じていた。
（イ）アバットメント部のキーパー部と義歯床内面の磁性アタッチメントにわずかな間隙      が生じると、磁力は距離の二乗に反比例するため、磁力が大幅に激減する。
（ロ）一次手術で骨内に歯科インプラントを埋入し、インテグレーション完了後、二次手      術を行い、歯肉パンチで粘膜部に開口部を作成してアバットメント部を装着し、ア      バットメント上部にキーパーを取付ける必要がある。
（ハ）口腔内の清掃不良により、アバットメント部周囲に不潔域が発生すると、インプラ      ント周囲炎を引き起こすことがある。
臨床で使用されている磁性アタッチメントは、キーパー部付近の清掃の困難さ、磁石構造体とキーパー部が緊密に接触しないと磁力が発揮しないといった欠点があり、適応には様々な条件を考慮する必要がある。
本発明は、以上のような欠点をなくすためになされたものである。
【課題を解決するための手段】
【０００５】  レジン義歯床粘膜面部に組み込む磁石構造体は、Ｎｄ（ネオジム）・Ｆｅ（鉄）・Ｂ（ボロン）を主成分とする生体に適応可能な材質記号を有するネオジム磁石であり、ネオジム磁石の表面処理に耐食性に優れたステンレス鋼でネオジム磁石を覆うものとする。磁石構造体周囲の磁束の漏洩を遮断するために、磁石構造体周囲の磁場を高透磁率材料（軟磁性材料）と高電導度材料で構成される磁気シールドにて遮蔽を行う。磁気シールドの外部に漏れる漏洩磁場の値は、ＷＨＯの安全基準以下になるように磁気シールドの厚径で対応を行う。磁気シールドと磁石構造体・ステンレス鋼との間は磁性構造体固定用常温重合レジンにて固定を行う。磁石構造体と口腔粘膜との間は密着しないように１ｍｍ程度の間隙を設ける。磁性ステンレス鋼で製作されたキーパー部を歯槽骨内に埋入した歯科インプラント体に取付け、インプラント一次手術時に口腔粘膜で被覆し、キーパー部は、常時、口腔粘膜下に存在させる。
本発明は、以上の構成よりなる磁気シールドを用いた開磁路タイプの磁石の吸引力による歯科インプラント義歯である。
【発明の効果】
【０００６】  口腔粘膜面下に存在する歯科インプラント体と磁性ステンレス鋼で製作したキーパー部を利用して、レジン義歯床粘膜面部に磁性構造体を組み込み、磁石構造体と口腔粘膜との間に間隙がある状態で、義歯の維持力を発揮できる開磁路構造の磁性アタッチメントシステムは存在しない。本発明により、口腔内に露出したアバットメント部が存在しないため、アバットメント部周囲のプラークの沈着、口腔衛生状態の不良によるインプラント周囲炎を生じさせることがなくなる。歯を喪失した患者に幅広く適応することが可能となり、在宅歯科医療が必要な寝たきり患者や要介護者の歯科治療や埋入された歯科インプラント体が残存した患者に対して応用することも可能となる。また、なにか問題が生じた場合、義歯床粘膜面部の磁性構造体の除去のみで問題を解決することが可能となる。
【図面の簡単な説明】
【０００７】
【図１】  本発明の断面図である。
【発明を実施するための形態】
【０００８】  以下、本発明を実施するための形態について説明する。
レジン義歯床粘膜面部（１）に組み込む磁石構造体（２）は、Ｎｄ（ネオジム）・Ｆｅ（鉄）・Ｂ（ボロン）を主成分とする生体に適応可能な材質記号を有するネオジム磁石であり、表面処理に耐食性に優れたステンレス鋼（３）で磁石を覆うものとする。磁石構造体周囲の磁束の漏洩を遮断するために、磁石構造体周囲の磁場を高透磁率材料（軟磁性材料）と高電導度材料で構成される磁気シールド（４）にて遮蔽を行う。磁気シールドの外部に漏れる漏洩磁場の値は、ＷＨＯの安全基準以下になるように磁気シールドの厚径の対応を行う。磁気シールドと磁石構造体・ステンレス鋼との間は磁性構造体固定レジン（５）にて固定を行う。磁石構造体と口腔粘膜（６）との間は密着しないように１ｍｍ程度の間隙（７）を設ける。磁性ステンレス鋼で製作されたキーパー部（８）を歯槽骨内（９）に埋入した歯科インプラント体（１０）に取付け、インプラント一次手術時に口腔粘膜（６）で被覆し、キーパー部（８）は、常時、口腔粘膜下に存在させる。
【符号の説明】
【０００９】１    レジン義歯床粘膜面
２    磁石構造体
３    ステンレス鋼
４    磁気シールド
５    磁性構造体固定用常温重合レジン
６    口腔粘膜
７    磁石構造体と口腔粘膜との間隙
８    キーパー部
９    歯槽骨
１０  歯科インプラント体
【図１】
2020062361.tif 000003
(57)【要約】      （修正有）【課題】食器の高台（こうだい）に水がたまりやすいので、水がたまらないようにする。【解決手段】食器の高台（こうだい）に１カ所以上の切れ目を入れる。【選択図】図２
2020062367.tif 000002
【特許請求の範囲】
【請求項１】
食器の高台（こうだい）に水がたまるので、水がたまらないようにする為、食器の高台（こうだい）に切れ目を入れる。
〔課題を解決する為の手段〕
食器の高台（こうだい）に切れ目を入れる。
【発明の詳細な説明】
【技術分野】
【０００１】この発明は、食器の高台（こうだい）に水がたまらないようにする為に、食器の高台（こうだい）に切れ目を入れた食器に関するものである。
【背景技術】
【０００２】従来、食器の高台（こうだい）に切れ目は作られていない。
【発明の概要】
【発明が解決しようとす課題】
【０００３】食器には次のような欠点がある。
（イ）食器を洗って伏せておくと、高台（こうだい）の中に水がたまる。
一方を高くしてナナメに伏せても水がたまる。
（ロ）洗った食器をふくと、高台（こうだい）に水がたまっているので、布がぬれる。
（ハ）食器乾燥機を使うと、高台（こうだい）に水がたまっているので、食器がぬれてい      ることがある。
本発明は以上のような欠点をなくす為になされたものである。
【課題を解決する為の手段】
【０００４】    食器の高台（こうだい）に１カ所以上の切れ目を入れる。
本発明は、以上の構成よりなる切れ目つき食器である。
【発明の効果】
【０００５】（イ）水がたまらない
（ロ）食器をふく布がぬれない。
（ハ）食器乾燥機で、かわきが良くなる。
【図面の簡単な説明】
【０００６】
【図１】従来の食器の正面図である。
【図２】本発明の食器の正面図である。
【発明を実施する為の形態】
【０００７】以下、本発明を実施する為の形態について説明する。
食器の高台（こうだい）に１カ所以上の切れ目を入れる。
食器には底に高台（こうだい）と呼ばれる小さな台がついている。
この台で、食器を置いた時に安定が良くなる。
その台の中に水がたまる。しかし、その台に切れ目を入れると、水がたまりにくくなる。
１か所の切れ目で、ほぼ水がたまらなくなるが、見た目など、オシャレをする為には、数か所の切れ目を入れても良いのである。
食器の一方を高くして、高台（こうだい）を下にして、ナナメに伏せる。
【符号の説明】
【０００８】（１）食器本体
（２）食器の高台（こうだい）
（３）切れ目がついた食器の高台（こうだい）
（４）切れ目がついた高台（こうだい）をアップにした図
【図１】
2020062367.tif 000003
【図２】
2020062367.tif 000004
(57)【要約】【課題】    マットが半分に折れて水に浮きマット同士が限りなく連結可能で形を作れる、防災用にレジャー面に人命救助に多目的で使える連結型の万能マットを提供する。【解決手段】  マットカバー（２）の中央を仕切りカバー縦横の側面に取っ手（３）、差し込みバックル付バンド（４）、マット板固定バンド（５）を設け、カバーの裏面にマット連結紐（６）、マット板固定バンド受け部（７）を設け、浮力材からなるマット板（１）２枚をカバー内の左右に納め固定する。マットは半分に折れ持ち運び積み重ねが簡単、差し込みバックル付バンドとマット連結紐によりマット同士が連結可能で幅広い形を作り多用途に使える、マットは水に浮くので津波．水害．水難での人命救助に役立つ、マット板の出し入れ可能で補修．交換が自由である。【選択図】図１
2020062362.tif 000002
【特許請求の範囲】
【請求項１】
ポリエチレン素材または布のシートからなる四角形のマットカバーの中央部を仕切り、カバー縦横の側面に取っ手、差し込みバックル付バンド、マット板固定バンドを設け、カバーの裏面にマット連結紐、マット板固定バンド受け部を設ける、カバー内部の左右に発泡樹脂での浮力材からなる四角形のマット板２枚を入れて固定する、マット同士が連結可能でマットが半分に折れて水に浮くのを特徴とする連結型の万能マット。
【請求項２】
発泡樹脂での浮力材からなる四角形のマット板に柔軟で軽く弾力性の有るシートを重ね合わせた請求項１に記載の連結型の万能マット。
【発明の詳細な説明】
【技術分野】
【０００１】  本発明は防災目的や日常面でも使用できる半分に折りたためてマット同士が連結可能な水に浮く連結型の万能マットに関するものである。
【背景技術】
【０００２】  従来、自然災害や日常生活において災害時には避難用具になり水の中では浮く物として救命用に、レジャー面においても便利で多目的に活用できる持ち運び簡単でマット同士が連結可能な万能タイプのマットがなかった。
【先行技術文献】
【特許文献】
【０００３】
【特許文献１】
【非特許文献】
【０００４】
【非特許文献１】
【発明の概要】
【発明が解決しようとする課題】
【０００５】  日常で使用するマットは主に敷物用である、このため自然災害での避難時や水の中での人命救助対策、レジャー面に対しても万能的には使えなかった、マットが半分に折れ持ち運びが簡単でマット同士が連結可能で水に浮き救命用にも使えレジャーにも活用できる万能マットは存在しない、本発明は以上の欠点をなくすためになされたものである。
【課題を解決するための手段】
【０００６】  四角形のマットカバー（２）の中央部を仕切り．カバー縦横の測面に取っ手（３）、差し込みバックル付バンド（４）、マット板固定バンド（５）を設け、カバー裏面にマット連結紐（６）マット板固定バンド受け部（７）を設け、発泡樹脂での浮力材からなる四角形のマット板（１）２枚を左右のカバー内に入れてマット板固定バンドで固定した半分に折れる水に浮く連結型の万能マットである。
【発明の効果】
【０００７】  マット板２枚を中央で仕切ったマットカバー内の左右に納めてあるので半分に折れてマットの積み重ねが可能、マットカバーの側面に取っ手が４ヶ所付いているので手での持ち運びが簡単で紐類も付けられる、差し込みバックル付バンド部が８ヶ所付いているのでマット同士が限りなく連結可能、マット板固定バンド部が６ヶ所付いていてマットの出し入れが自由、マットカバーの裏面にマット連結紐が８ヶ所付いているのでマット同士を固定したりマットカバーの折れを防ぐ、これにより災害避難時では手に持ち落下物から頭．体を守りマット同士を連結して形を作り担架やベットの代用になりプライバシー保護の役目もする、浮力材によるマット板なので水にも浮き．マットが連結できるので幅広く厚くしてマット上に乗ったり．しがみ付いたりして水の中での人命救助に役立つ、また敷物．テーブル．雨避けとしてレジャー面にも活用できマットカバーやマット板が破損してもマット板の出し入れが自由なので補修したり取り替えが可能、このように多くの用途で使える連結型の万能マットである。
【図面の簡単な説明】
【０００８】
【図１】  マット本体の外部裏面と内部透視を示す斜視図である。
【図２】  マット本体の外部表面を示す平面図である。
【図３】  マット本体を折った状態の側面図である。
【図４】  マット板に柔軟．弾力性のシートを重ねた詳細構造を示す斜視図である。
【図５】  マット４枚の裏面での連結状態を示す斜視図である。
【発明を実施するための形態】
【０００９】図１において取っ手（３）により手に持ちマットを簡単に運べ紐も付けられる、差し込みバックル付バンド（４）とマット連結紐（６）によりマット同士を連結したりマットの折れを防ぐ、マット板固定バンド（５）によりマット板の出し入れが自由である、図３においてマットは半分に折れるのでコンパクトになる、図４において浮力材からなるマット板は水に浮く。これにより災害避難時や水の中では１枚使用やマット同士を連結し幅広く厚くして防災面や人命救助に役立ち．レジャーにおいてもマットは敷物．雨避けとして多用途で活用できる。
【符号の説明】
【００１０】１    マット板
２    マットカバー
３    取っ手
４    差し込みバックル付バンド
５    マット板固定バンド
６    マット連結紐
７    マット板固定バンド受け部
８    マット板に重ね合わせた柔軟で弾力性あるシート
【図１】
2020062362.tif 000003
【図２】
2020062362.tif 000004
【図３】
2020062362.tif 000005
【図４】
2020062362.tif 000006
【図５】
2020062362.tif 000007
(57)【要約】【課題】  ゴルフのパッティングにおいて，構えや打ち出しなどの方向性を効果的に習得できるように，直径面の方向や傾きを可視化した練習用ゴルフボールを提供する。【解決手段】  ゴルフボールを，透明あるいは内部が見える程度の半透明な樹脂（１）で形成し，その直径面に色のある樹脂などでできたメダル型の物体（２）を配置することを特徴とする。【選択図】図１
2020062366.tif 000002
【特許請求の範囲】
【請求項１】
透明あるいは中心が見える程度の半透明な樹脂（１）で形成された表面部分と内容部分を設け，かつ，その中に色のある樹脂などで形成されたメダル型の物体（２）を設けたゴルフボール。
【発明の詳細な説明】
【技術分野】
【０００１】  この発明は，透明あるいは半透明なボールの内部にメダル型の物体を設けて可視化した，パッティング練習用のゴルフボールに関するものである。
【背景技術】
【０００２】  従来，ゴルフのパッティングにおいて，目標に向かって正確に構えたり打ち出したりするためのゴルフボール，また，転がりの傾きや方向などを可視化するためのゴルフボールは，表面に線を描いたり，表面を色分けしたりして作られていた。
【発明の概要】
【発明が解決しようとする課題】
【０００３】  これには，以下のような課題があった。
ボール表面に線を入れる方法では，ボールの表面上部が目立つために，ボールを立体的に捉える感覚が薄れ，インパクトが上下にずれやすい場合があった。また，ボール表面を色分けする方法では，使用者によって色の感じ方が異なるために，ボールの片方の半球が明るく大きく見えるなどして，構えや打ち出しが左右にずれやすい場合があった。さらに，どちらの方法でも，転がっている最中には，ボールの傾きや方向の変化が見えにくく，正確なインパクトや打ち出しができたか，グリーンの傾斜や芝目などの影響をどのぐらい受けているか，判断することが難しい場合があった。
本発明は，以上の課題を解決するためになされたものである。
【課題を解決するための手段】
【０００４】  そこで，ゴルフボールを，透明あるいは内部が見える程度の半透明な樹脂製（１）にし，その直径面に，メダル型の物体（２）を設ける。
本発明は，以上の構造を持ったパッティング練習用のゴルフボールである。
【発明の効果】
【０００５】  この構造により，使用者がボールの内部や奥行きを透かして見ることができ，ボールを立体的に捉える感覚を持ちながら，目標方向にボールを合わせて，正しく構えたり打ち出したりすることが容易になる。また，打ち出した後にも，メダル型の物体の側面の方向や底面の広さの見え方によって，パターの芯でボールをインパクトできたか，目標方向に正確に打ち出せたか，グリーンの傾斜や芝目などによってボールの転がりの傾きや方向がどのように影響を受けて変化していくのか，判断をすることが容易になる。
以上のことにより，パッティングの方向性をより効果的に習得することができる。
【図面の簡単な説明】
【０００６】
【図１】  本発明の参考斜視図である。
【図２】  本発明の正面図かつ背面図である。
【図３】  本発明の側面図である。
【図４】  本発明の断面図である。
【図５】  本発明の図４の断面に対して垂直な断面図である。
【図６】  本発明を使用する際の真上から見た参考図である。
【発明を実施するための形態】
【０００７】  以下，本発明を実施するための形態について説明する。
ゴルフボールを，透明あるいは内部が見える程度の半透明な樹脂（１）で形成し，その直径付近に色のある樹脂などで形成されたメダル型の物体（２）を固定して配置する。
本発明は，以上のような構造である。
これを使用するときは，グリーンの上や練習用パターマットの上で，メダル型の物体の側面の延長線が打ち出しの目標方向（３）になるように置き，それに対して，パターの打撃面（４）を垂直に合わせて構えたり打ち出したりすればよい。
【符号の説明】
【０００８】  １  透明あるいは内部が見える程度の半透明な樹脂
２  メダル型の物体
３  打ち出しの目標方向
４  パターの打撃面
【図１】
2020062366.tif 000003
【図２】
2020062366.tif 000004
【図３】
2020062366.tif 000005
【図４】
2020062366.tif 000006
【図５】
2020062366.tif 000007
【図６】
2020062366.tif 000008
(57)【要約】      （修正有）【課題】味噌を原料とし植物性食品からなる調味料を利用した味噌ラーメン、スープカレー、お惣菜などに使用できる調味料の製造方法の提供。【解決手段】味噌にリンゴジュースを混合して練る。その中にトマトソース、醤油、甜菜糖、おろしにんにく、おろししょうが、玉ねぎペースト、こめ油、ゴマ油、昆布だし、塩、粉唐辛子を入れ練りながら煮ることで、味に深みとうま味をだすことができる、調味料の製造方法。【効果】動物性食品、化学調味料、アルコールを添加することなく食すことができることを特徴とする。【選択図】なし【特許請求の範囲】
【請求項１】
味噌にリンゴジュースを混合して練り、その中にトマトソース、醤油、てんさい糖、おろしにんにく、おろししょうが、玉ねぎペースト、こめ油、ゴマ油、昆布だし、塩、粉唐辛子を入れ練りながら煮ることで味に深みとうま味をだすことを特徴とする調味料の製造方法。
【発明の詳細な説明】
【発明の詳細な説明】
【技術分野】
【０００１】  この発明は、日本の伝統食である味噌を原料とし、植物性食品からなる調味料の製造方法に関するものである。
【背景技術】
【０００２】  従来、調味料には、動物性食品、アルコール、化学調味料が添加されているものが利用されている。
【発明が解決しようとする課題】
【０００３】  これは次のような欠点があった。
調味料は多くの料理に利用されているが、動物性食品、アルコール、化学調味料、が多く含まれている。
本発明は以上の欠点を解決し、植物性食品からなる味噌味の調味料である。
【課題を解決するための手段】
【０００４】  味噌にリンゴジュースを混合して練る。その中にトマトソース、醤油、てんさい糖、おろしにんにく、おろししょうが、玉ねぎペースト、こめ油、ゴマ油、昆布だし、塩、粉唐辛子を入れ練りながら煮ることで、味に深みとうま味をだすことを特徴とする。以上の製造方法からなる調味料の製造方法である。
【発明を実施するための形態】
【０００５】  以下、本発明の実施の形態について説明する。
第１工程  味噌の中にリンゴジュースを混合し練る。
第２工程  上記の味噌    １ｋｇに対しての割合は下記の通り。
味噌                      １ｋｇ
果汁１００％リンゴジュース１０００ｍｌ
トマトソース              ６００ｇ
玉ねぎペースト            ２００ｇ
丸大豆醤油                ２００ｇ
てんさい糖                ２００ｇ
おろしにんにく            １００ｇ
おろししょうが            １００ｇ
ゴマ油                      ５０ｇ
こめ油                      ５０ｇ
昆布だし                    ３０ｇ
塩                          １０ｇ
粉唐辛子                      ５ｇ
第３行程  第２工程を経たものを３０分程練りながら煮る。
第４行程  完成した調味料は、味噌ラ‐メンのスープに、カレー粉を入れることでスープ          カレー、お総菜などに万能調味料として食す事ができる。
完成した調味料は、温めるだけでラーメンス―プ、スープカレーとして食すことができるように調理し、１人前真空パックにすることで同じ味を提供できる。
【発明の効果】
【０００６】  日本の伝統食である味噌を原料とし、植物性食品からなる調味料は、動物性食品、化学調味料、アルコールなど食すことができず、食べたくても諦めていた味噌ラーメンやスープカレー、お総菜など万能調味料として食すことができる。また、ラーメンスープ、スープカレーは、１人前を袋に入れて、そのまま温めて食すことができるようにすることで国内外誰にも同じ味を提供できる。また味噌が身体に良いことは知っているが、どう食して良いかわからない国外の人達にも提供できる。また味噌と植物性食品は有機栽培したものを使うことで国内外の健康志向の方たちにも提供できる。
(57)【要約】【課題】庭や校庭、畑等の草取りをするとき、効率よく作業できるように熊手の先端の穂先に草取り用の刃物を横に取り付けた草取り熊手を提供する。【解決手段】熊手の先端部底部付近（１）に、鎌状の刃物（２）を横に設けた草取り熊手を特徴とする。【選択図】図１
2020062002.tif 000002
【特許請求の範囲】
【請求項１】
刃物に熊手（１）の穂の本数分横向きに穴をあけ、それを刃物（２）の切れる面を内側に向けて通し、穂先の球体の部分で止めた草取り熊手。
【発明の詳細な説明】
【技術分野】
【０００１】この発明は、熊手の先端底部に横に草刈り刃物を取り付けた草取り熊手に関するものである。
【背景技術】
【０００２】従来、熊手と草取り刃物は別々の物であった。
【先行技術文献】
【特許文献】
【０００３】
【特許文献１】
【発明の概要】
【発明が解決しようとする課題】
【０００４】これは、次のような欠点があった。
従来草刈りは鎌型の刃物で草を刈ってから後に、熊手で刈った草を回収する必要があった。
本発明は以上のような欠点をなくすためになされたものである。
【課題を解決するための手段】
【０００５】熊手の先端部底部付近（１）に、鎌状の刃物（２）を横に設ける。
本発明は、以上の構成によりなる草取り熊手である。
【発明の効果】
【０００６】熊手と鎌状の刃物が一体になっていることにより庭の雑草等を一度に切ってかき集める事ができ、作業が効率よく進む。
【図面の簡単な説明】
【０００７】
【図１】  本発明の斜視図である。
【図２】  本発明の側面図である。
【発明を実施するための形態】
【０００８】以下、本発明を実施するための形態について説明する。
熊手の穂先（１）に、鎌状の刃物に穂が入る穴を設けて（２）それを取っ手側から横に通し熊手の穂先の球形を底に固定する。
本発明は、以上のような構造である。
これを使用するときは、熊手と鎌が一体になったこの草刈り熊手で庭や校庭、畑等の雑草をかき集めるように引いて除草できる。
【符号の説明】
【０００９】１  熊手
２  熊手の穂先に通す穴の開いた鎌状の刃物
【図１】
2020062002.tif 000003
【図２】
2020062002.tif 000004
(57)【要約】      （修正有）【課題】放射効率のよい反射板構造を提供する。【解決手段】内部に発光体４を位置させた反射板２において、該反射板の一部に段部状斜面部３を形成した。【選択図】図２
2020136255.tif 000002
【特許請求の範囲】
【請求項１】
内部に発光体を位置させた反射板において、該反射板の一部に段部状斜面部を形成したことを特徴とする反射効率向上型反射板構造。
【請求項２】
反射板の一部に放物面を形成し、該放物面の底部に段部状斜面部を設けてなる請求項１記載の反射効率向上型反射板構造。
【発明の詳細な説明】
【技術分野】
【０００１】  この発明は、反射効率を向上させた反射板の構造に関する。
【背景技術】
【０００２】  従来より、照明器具その他において、反射機能を有する反射板が多用されているが、本発明にて示すように、発光体の直上に段部状斜面部を設けたものは見当たらない。
【発明の概要】
【発明が解決しようとする課題】
【０００３】  発光体は、以前より天井照明、懐中電灯、自動車のヘッドライト、ヒーター式ストーブ、照射式の融雪装置など多方面に利用されており、通常はその発光体から放射される光や熱線を効率よく利用するために、反射板が用いられている。
この反射板の形状は様々であるが、その一例としては放物面型反射板がある。
これは放物面の焦点位置に発光体を位置させることによって、この発光体からの放射光や放射熱線を平行に前方外部へ照射するという性質を有して、特定方向への照射を行うことができる。
円柱形の発光体、例えば蛍光灯ではその発光体の直上の反射板はゆるやかなカーブ面であるために、蛍光灯から直上方向へ発した光は反射にてまた蛍光灯外面にもどるために、この箇所の光は有効活用できないという問題があり、これは遠赤外線その他の発光体の反射板でも同様である。
本発明は以上に鑑み、この直上方向への光や熱線を有効活用するための新規かつ有用なる反射板構造を得ることを目的として発明されたものである。
【課題を解決するための手段】
【０００４】  課題を解決する手段として本発明は以下の構成とした。
すなわち、内部に発光体を位置させた反射板において、該反射板の一部に段部状斜面部を形成する。本発明は以上の構成よりなる反射効率向上型反射板構造である。
【発明の効果】
【０００５】  本発明によれば、発光体に近接して段部状斜面部が位置するので、発光体直上にこの斜面部を位置させることにより、発光体最上部および最上部近傍からの放射光を、この斜面部にて反射し、この反射光は反射板内面にて反射をくり返すことで外部へと放射され、従来法に比べてより効率のよい反射光利用を可能とする、有意な反射板構造を得ることができる。また、可視光線のみならず遠赤外線など他の波長にても有効に活用することができる。
【図面の簡単な説明】
【０００６】
【図１】従来例の反射機能説明図（側面視）
【図２】本発明の反射機能説明図（側面視）
【図３】本発明の一例による内部構造説明図（正面視）
【図４】本発明の一例による内部構造説明図（側面視）
【発明を実施するための形態】
【０００７】  以下、本発明の実施形態について説明する。これは、遠赤外線放射型の融雪装置の例である。図において、１はケーシングで、側面視において上部をすぼめた下部開放直方体形状の箱体である。２は反射板で、高反射率を有する特定形状の金属板である。
その形状は図２にて示すように、側面視においてその上部は段部状斜面部３が形成され、その近傍は放物面状に形成された放物面部が設けられでいる。また、この反射板は正面視において、図３にて示すように、略台形状である。上記放物面部の焦点位置には、円柱状の遠赤外線放射ランプ４が適宜支持部材にて支持されて位置している。なお、図示を略したが，端子台その他の必要部品が装備され、このランプは通電接続される。
【０００８】  次に、本発明による反射板と従来例の反射板との違いについて説明する。
図１は従来例、図２は本発明の例である。
まず、従来例では反射板は放物面形状を有して、その焦点位置に発光体もしくはヒーターが位置している。発光体から放射された光は図の二点鎖線にて示すように反射板に当たって反射し、放物面の性質にて下方外方へと放射される。
しかし、この発光体の最上部および最上部近傍から上方へ向けて放射された光は、反射板にて反射されるが、この反射光は再び発光体へともどって外部への放射とはならない。
つまり、放物面の上部（底部）はゆるやかな湾曲面となっているために，このような現象となるのである。
【０００９】  すなわち、電磁波の一種である可視光線および可視光線に近い波長の電磁波は直進性を有し、波長が短くなるにつれてその直進性が顕著になるためである。
一方、本発明の反射板は、既述のごとく発光体直上に段部状斜面部を有している。
この段部の頂点は発光体の中央直上の位置にあり、段部頂点から振り分けにて上向きの斜面部が形成され、その上向き斜面部の最上位置は側面視において、発光体の側面よりやや外側の位置にある。
従って、図２にて示すように、発光体の直上および直上近傍から放射された上向きの光は図のごとく反射をくり返してやがて下方へ向かう光となって外部へと放射される。
ゆえに従来例のような非利用の光や熱線は発生せず、放射されたすべての光を有効に活用することができる。
【００１０】  以上、本発明について記したが、本発明に用いた段部状斜面部にて、発光体からの放射光や放射熱線をこの斜面部にて反射させることにて、既述のように放射光等をすべて有効活用することができる。
本方式は、直進性を有する電磁波のすべてにおいて利用可能であり、可視光線、遠赤外線、紫外線灯にも有効である。可視光線用では、蛍光灯を用いた照明器具に利用でき、遠赤外線用では、ヒーターを用いた反射型ストーブや暖房機への利用、さらに遠赤外線方式の融雪装置への活用も実証されている。紫外線には殺菌能力があるため、殺菌灯への利用が見込まれる。近年、進展のある分野の一つとして、特定波長・特定光色の光を用いた屋内型水耕栽培への利用も可能と思われる。
以上のごとく、本発明による方式は多方面への利用が可能であり、省エネルギー的構成物として，従来にない有用性を得ることができる。
【符号の説明】
【００１１】  １    ケーシング
２    反射板
３    段部状斜面部
４    遠赤外線放射ランプ
５    放射遠赤外線
１０  反射板
【図１】
2020136255.tif 000003
【図２】
2020136255.tif 000004
【図３】
2020136255.tif 000005
【図４】
2020136255.tif 000006
(57)【要約】【課題】  低コストで手軽な太陽熱（低温）集熱装置を提供する。【解決手段】  受光量の最大化、最適化、エネルギーロスの最小化、最適化、制御費の最小化、最適化および材料、工法を選択できるようにし製作費、敷設費を低減させる。これらは相互に関わり（トレードオフ）、多変量の最適化問題に帰する。最適解は環境条件に依存するが実施例で一つの解を示す。【選択図】図２
2020159678.tif 000002
【特許請求の範囲】
【請求項１】
レシーバが円形断面の場合、反射光の少しの誤差で入射角が大きく異なり、透過率も大きく異なってくる。レシーバ受光面を平面とし、反射光の誤差による入射角の変化を抑え、誤差を踏まえ受光幅に余裕を持つことで、反射板や回転体などの製作、設置および制御誤差を吸収することを特徴とする太陽熱（低温）集熱装置
【請求項２】
太陽光は太陽の大きさに基づく視差をもつ。散乱光は太陽の近傍、特に太陽径の３倍までくらいが大きい。これに対し、受光面に幅をもたせることで、太陽視差の影響を吸収し、更に主たる散乱光も受光できることを特徴とする太陽熱（低温）集熱装置
【請求項３】
反射板を南向きに、回転軸を東西に配置することで、年間を通じた太陽の動きに対し一軸で制御し、操作を簡素化することを特徴とする太陽熱（低温）集熱装置
【請求項４】
レシーバを回転軸に対するバランサーウェイトとし、制御エネルギーを減少させることを特徴とする太陽熱（低温）集熱装置
【請求項５】
スパンに対し支点部幅を最小化し、レシーバ受光部幅を最大化し、集熱量を増やすことを特徴とする太陽熱（低温）集熱装置
【請求項６】
反射板とレシーバが一体的に動くようにし、回転や制御誤差を抑えることを特徴とする太陽熱（低温）集熱装置
【請求項７】
集熱温度を低温に抑えることで集熱、熱媒体輸送および貯水（蓄熱）過程でのロスを抑えることを特徴とする太陽熱（低温）集熱装置
【請求項８】
二重窓による空気層、断熱材、水路断面および反射防止材のコストパフォーマンスを最適化し、断熱性能を保ちながらレシーバの高さを抑え、受光量、集熱量を増やすことを特徴とする太陽熱（低温）集熱装置
【発明の詳細な説明】
【技術分野】
【０００１】  本発明は集熱温度が１００℃以下と、従来の１８０℃〜１，０００℃と比べ低温で集熱する太陽熱集熱器に関するものである。
【背景技術】
【０００２】  日射のエネルギーは大きく（館山で３，２２５ｋｃａｌ／ｍ２／日）、燃料に換算すると８０１円／ｍ２／年となる（一般炭１．４７円／千ｋｃａｌ）。日射の利用では太陽熱発電、太陽光発電、ソーラーヒーターなどの例があるが、低コストで手軽に十分に活用できるとは言えない。
【発明の概要】
【発明が解決しようとする課題】
【０００３】（１）課題×解決策
2020159678.tif 000003
以下、解決策を具体的に述べる。
【課題を解決するための手段】
【０００４】（２）受光量の最大化、最適化
１）入射角（方位角１２０°未満、２４０°以上，高度０°〜２０°）により反射率は低減する。ここでは放物線の断面で入射角４５°まで対象にする。
２）延長方向集光範囲は６０°〜７０°程度になるが、これ以上薄く入射する方位角９０°〜１２０°、２４０°〜２７０は太陽高度も低く、日射量も小さい。
３）所定の日射量を得るためには、受光の低減率の逆数が反射板必要面積に掛かり、工事費とのバランスに帰着する（最適化できる）。
４）誤差／散乱光の一部を吸収
▲１▼製作／設置／制御誤差はレシーバ受光面の幅を広くすること対応できる。
▲２▼太陽視差（太陽光は厳密には平行ではない）はレシーバ受光面の幅で対応できる。
▲３▼散乱光の一部を取り込める（太陽の方向から±１．１°〜１．４°
（誤差対応幅分，ここでは散乱光の５％と仮定）【０００５】（３）エネルギーロスの最小化、最適化
１）製作／設置／制御誤差を最小に
▲１▼放物線を利用し、日射を焦点に集中するが放物面の位置誤差、角度誤差は集熱効率に大きく影響する
▲２▼対策は受光面を平面にし、誤差の影響を緩和する（従来は円形断面で誤差の影響が大きい）、受光幅に誤差を踏まえた余裕幅をもたせることで吸収できる。
２）レシーバ壁からの熱伝導のエネルギーロスを最小化
▲１▼集熱温度を下げることで熱伝導によるエネルギーロスは大幅に抑えられる。
▲２▼断熱材、二重窓で熱伝導エネルギーロスを最小化（受光量／工事費とのバランス）【０００６】（４）制御費費の最小化、最適化
１）反射板を南向き、回転軸を東西に配置することで、年間を通し反射板は一軸の回転で制御できる（簡素化／コスト減）。
２）太陽の方位角、高度から受光できる日射は制約され、全体の８８．５％となる。
▲１▼方位角で９０°未満、２７０°以上は対象外←相対的に時間、日射量は小さい。
▲２▼土地利用上の都合（配置）から、高度で２０°以上は１００％受光できるが、１０°で５０％、５°で２６．５％となる。
▲３▼太陽高度が低いときの受光量の低減は土地利用とトレードオフとなるが、最適化で対応できる。【０００７】（５）材料、工法の選択と製作費、敷設費の低減
１）最適化の上、選択できる環境が重要である。無駄を省き、ヒーマンサイズで、扱いやすく、リスク防止を基本としながらも、多くは性能とトレードオフとなり、発明を実施するための形態に示すように最適化の上、選択できる。
【発明の効果】
【０００８】（１）太陽熱を手軽に低コストで集熱し、温水、発電などに活用できる。
【図面の簡単な説明】
【０００９】
【図１】反射板に利用する放物線とその範囲である。
【図２】太陽熱（低温）集熱装置の全体図である。
【図３】レシーバの詳細図である。
【図４】レシーバ端部および支点部の詳細図である。
【発明を実施するための形態】
【００１０】  （１）反射板面積は最大限大きく取る（ただし、運び易く、施工し易く、保守し易いこと）
これにより、長さ１，９９０ｍｍ、温度膨張遊間１０ｍｍとできる。
【００１１】  （２）焦点距離と反射板の延長比は方位角６０°まで対象に誤差を吸収
これにより、反射板位置の誤差は５ｍｍ、角度の誤差は５／４００、５／４００×８００ｍｍ＝１０ｍｍ，５／４００×４００ｍｍ＝５ｍｍとできる。
【００１２】  （３）支点部構造は狭く、レシーバ受光面を最大限確保（膨張  鋼材１．７３ｍｍ，ガラス１．３６ｍｍ）
これにより、遊間３ｍｍ＋撓み、施工性分３ｍｍ、鋼材／ガラス接合部はシールで対応できる。
【００１３】  （４）レシーバ断熱構造
これにより、受光部断熱方法の最適化し、二重窓空気層ｔ＝３０ｍｍとし、断熱材質、厚さの最適化で発泡ウレタンｔ＝２６ｍｍとすることができる。
【００１４】  （５）反射板／回転軸の配置
反射板を南向き、回転軸を東西に配置することで、太陽の動きに対し一軸で対応できる。
【００１５】  （６）支点部伸縮性／止水
これにより、支点の伸縮性確保、内側ガラスの止水性確保、連結管の伸縮性／止水性確保等を構造詳細で対応できる。
【００１６】  （７）回転による部材の取り合い
回転板、制御装置、レシーバ端部蓋、支点の取り合いおよび遊間確保は構造詳細で対応できる。
【符号の説明】
【００１７】
2020159678.tif 000004
【図１】
2020159678.tif 000005
【図２】
2020159678.tif 000006
【図３】
2020159678.tif 000007
【図４】
2020159678.tif 000008
(57)【要約】      （修正有）【課題】ガスレンジやカセットコンロ等、炎を利用する加熱器具の熱効率を向上する。【解決手段】五徳の一部に空気対流を制限する部材を設けることにより、燃焼に必要な空気以上に余分な空気を暖めないようにする。【選択図】図１
2020159677.tif 000002
【特許請求の範囲】
【請求項１】
五徳の一部に熱効率を良くする為、空気対流制限部材を設けた、速沸具（ハヤワイター）である。
【発明の詳細な説明】
【技術分野】
【０００１】この発明はガスレンジ又カセットコンロ等の五徳に関するもので、その熱効率を追及したものである。
【背景技術】
【０００２】大気中の酸素を利用した熱源である炎と鍋底の間に五徳が必要である。熱効率を良くする為に炎と鍋底の両者の関係を最適に保つ部品が五徳である。
【発明の開示】
【発明が解決しようとする課題】
【０００３】炎と鍋底の関係を最適に保つ為に五徳が必要である。その五徳が最適であったとしても、空気対流が起こる。その空気対流が必要以上、存在しており熱効率を落している。即ち、余分な空気を暖めているのである。
【課題を解決しようとする手段】
【０００４】五徳の一部に不必要な空気対流を制限する部材を設ける。
［図１］を参照されたい。
この図は本願［速沸具・ハヤワイター］の一例で斜視図である。
金属製の板状リングである。▲２▼のネジを外し五徳の中に納め、ネジ止めした後、▲  ３▼の移動止め溝を合せる。本願を使用すると、炎のゆらめきが無くなる特長がある。  其のことは熱効率が良くなる事への、目に見える現象の一つである。
【発明の効果】
【０００５】本願の効果の程度を調べる為に、次の様うな実験を繰り返し行なった。
実験条件は水道水を１．２リットル入る鉄瓶に入れ、ガスレンジに掛け湯を沸かした。本願を使用した場合と従来の場合と沸くまでの時間を比較した。その結果、
次の様な結果見た。それを表にした。尚、実験の条件を同じにするため、同じ火囗、同じ五徳に、本願を着けたり、外したりして実験をした。
2020159677.tif 000003
以上の様うな結果を得た。これを（表１）とする。
（表１）の如く本願を使用した時の方が短時間で沸くことが明らかである。
熱効率は概１５パーセント程度良くなるといえる。
一つの器具の熱効率が１５パーセント良くなることは社会全体から見れば、莫大な貢献になると思われる。
【図面の簡単な説明】
【０００６】
【図１】  本願の斜視図である。
【発明を実施するための形態】
【０００７】以下、本願を実施するための形態について説明する。
図１の如く帯び板を丸けて、▲２▼で固定可能に工作し、五徳内に納め固定する。
図１の本願▲１▼の本体は鉄製帯び板で安価な材料で量産が可能である。
陶磁器等でも可能であるけれども五徳製作時に組み込みが必要であり、後着けは困難であるも、メイカーには進められる。
【符合の説明】
【０００８】▲１▼：  本願の本体
▲２▼：  後着けの為のネジ又はピン
▲３▼：  移動防止の溝と同時に隙間を小さくする為の溝でもある。
【図１】
2020159677.tif 000004
【図２】
2020159677.tif 000005
【手続補正書】
【提出日】令和1年5月22日(2019.5.22)
【手続補正１】
【補正対象書類名】明細書
【補正対象項目名】０００６
【補正方法】変更
【補正の内容】
【０００６】
【図１】  本願の斜視図である。
【図２】  五徳の一例（▲４▼）に本願を設置した時の斜視図である。